(57)【要約】【課題】電子機器にジェスチャー入力を行う際に、ユーザが、所望のジェスチャー入力を行えたか否かを確認できるようにする。【解決手段】タッチパネル操作部１２の周囲を囲むように配設された複数の光源から構成される発光体２４を設け、タッチパネル操作部１２にユーザが指で触れ、更に指を所定の動き方で移動させてジェスチャー入力が行われると、このジェスチャー入力の種類に応じた発光パターンで発光体２４を発光させる。これにより、ユーザは、所望のジェスチャー入力が行えたかどうかを視覚的に確認できる。【選択図】図４
2012234387.tif 000002
【特許請求の範囲】
【請求項１】
表示パネル上にタッチパネルを積層してなるタッチパネル操作部と、
前記タッチパネル操作部の周囲を囲む位置に配設された発光体と、
前記タッチパネル操作部にユーザが指で触れ、更に指を所定の動き方で移動させた入力の種類に応じて、前記発光体の発光パターンを制御する手段と
を備えることを特徴とする電子機器。
【請求項２】
前記タッチパネル操作部にユーザが指で触れ、更に指を所定の動き方で移動させて行う入力の種類は、指を前記タッチパネル操作部に触れ直線上にスライドさせる操作と、２本の指を前記タッチパネル操作部に触れこの２本の指を広げる若しくは近づけるように動かす操作と、２本の指をタッチパネル操作部に触れ一方の指を固定し他方の指を回転させる操作の何れかを含むことを特徴とする請求項１に記載の電子機器。
【請求項３】
更に、前記タッチパネル操作部にユーザが指で触れたことを振動で知らせる振動部を有することを特徴とする請求項１または請求項２に記載の電子機器。
【請求項４】
表示パネル上にタッチパネルを積層してなるタッチパネル操作部を備え、前記タッチパネル操作部の周囲を囲む位置に発光体を有する電子機器の表示方法であって、
前記タッチパネル操作部にユーザが指で触れ、更に指を所定の動き方で移動させたことが検出されると、前記指を所定の動き方で移動させた入力の種類に応じて、前記発光体の発光パターンを制御する
ことを特徴とする表示方法。
【請求項５】
表示パネル上にタッチパネルを積層してなるタッチパネル操作部を備えた電子機器のプログラムであって、
前記タッチパネル操作部の周囲には、発光体が設けられており、
前記タッチパネル操作部にユーザが指で触れたことを検出するステップと、
前記タッチパネル操作部にユーザが更に指を所定の動き方で移動させたことを検出し、その入力の種類を判定するステップと、
前記タッチパネル操作部にユーザが指で触れ、更に指を所定の動き方で移動させた入力の種類に応じて、前記発光体の発光パターンを制御するステップと
を含むことを特徴とする、コンピュータにより実行可能なプログラム。
【発明の詳細な説明】
【技術分野】
【０００１】
本発明は、タブレット型のパーソナルコンピュータやスマートフォン等のタッチパネル操作部を備えた電子機器、当該電子機器の表示方法およびプログラムに関する。
【背景技術】
【０００２】
パーソナルコンピュータや携帯端末装置の操作部としては、キーボードやテンキー等、キー入力が主流であった。このようなキー入力の場合には、物理的にキーを押したときの感覚がユーザに直接伝わることになるので、入力操作を確実に行える。しかしながら、キー入力の場合には、機器に物理的な複数のキーを用意しなければならず、小型、軽量化の支障になる。
【０００３】
これに対して、タブレット型のパーソナルコンピュータやスマートフォンと呼ばれる多機能型の携帯端末装置では、表示パネル上にタッチパネルを積層したタッチパネル操作部が設けられ、ユーザが指でタッチパネル操作部を触れることで、各種の入力が行えるようになっている。このようなタッチパネル入力では、機器に物理的なキーを用意する必要がなく、小型、軽量化を図ることができる。また、タッチパネル操作では、操作が直感的に理解しやすい。
【０００４】
また、タッチパネルには、ユーザの指がタッチパネルに触れた位置に基づくタッチ入力を受け付けるのみならず、タッチパネル操作部に指を触れ、更に指を所定の動き方で移動させるような、いわゆるジェスチャー入力を受け付けるものがある。
例えば、特許文献１に記載のリモートコントロール送信機は、タッチパネルシートへの入力操作の移動軌跡から、操作者のジェスチャー入力を判定し、ジェスチャー入力に応じた制御データを被制御機器へ送信する。これにより、操作者は、制御内容を見ずに、ケースを握った親指を移動するジェスチャー入力で、被制御機器を遠隔制御できるとされている。
【先行技術文献】
【特許文献】
【０００５】
【特許文献１】特開２０１０−１９３１０７号公報
【発明の概要】
【発明が解決しようとする課題】
【０００６】
ジェスチャー入力において、入力可能なジェスチャーが複数あると、ユーザは、所望の入力を行えたか否かを把握できないおそれがある。例えば、特許文献１に記載のリモートコントロール送信機は、親指を右左前後の何れかの向きに移動させるジェスチャー入力を受け付ける。このジェスチャー入力に際して、指を動かした向きが斜めになった場合、ユーザは、いずれのジェスチャー入力として受け付けられたかを把握できないおそれがある。
【０００７】
本発明は、上述の課題を解決することのできる電子機器、表示方法およびプログラムを提供することを目的とする。
【課題を解決するための手段】
【０００８】
この発明は上述した課題を解決するためになされたもので、本発明の一態様による電子機器は、表示パネル上にタッチパネルを積層してなるタッチパネル操作部と、前記タッチパネル操作部の周囲を囲む位置に配設された発光体と、前記タッチパネル操作部にユーザが指で触れ、更に指を所定の動き方で移動させた入力の種類に応じて、前記発光体の発光パターンを制御する手段とを備えることを特徴とする。
【０００９】
また、本発明の一態様による表示方法は、表示パネル上にタッチパネルを積層してなるタッチパネル操作部を備え、前記タッチパネル操作部の周囲を囲む位置に発光体を有する電子機器の表示方法であって、前記タッチパネル操作部にユーザが指で触れ、更に指を所定の動き方で移動させたことが検出されると、前記指を所定の動き方で移動させた入力の種類に応じて、前記発光体の発光パターンを制御することを特徴とする。
【００１０】
また、本発明の一態様によるプログラムは、表示パネル上にタッチパネルを積層してなるタッチパネル操作部を備えた電子機器のプログラムであって、前記タッチパネル操作部の周囲には、発光体が設けられており、前記タッチパネル操作部にユーザが指で触れたことを検出するステップと、前記タッチパネル操作部にユーザが更に指を所定の動き方で移動させたことを検出し、その入力の種類を判定するステップと、前記タッチパネル操作部にユーザが指で触れ、更に指を所定の動き方で移動させた入力の種類に応じて、前記発光体の発光パターンを制御するステップとを含むことを特徴とする。
【発明の効果】
【００１１】
本発明によれば、ユーザは、所望のジェスチャー入力を行えたか否かを確認することができる。
【図面の簡単な説明】
【００１２】
【図１】本発明の第１の実施形態における携帯端末装置の外形の概要を示す平面図である。
【図２】同実施形態におけるタッチパネル操作部の概略構成を示す分解斜視図である。
【図３】同実施形態における発光体の発光パターンの例を示す説明図である。
【図４】同実施形態における携帯端末装置の概略構成を示すブロック図である。
【図５】同実施形態における携帯端末装置の動作説明に用いるフローチャートである。
【図６】本発明の第２の実施形態における携帯端末装置の概略構成を示すブロック図である。
【発明を実施するための形態】
【００１３】
＜第１の実施形態＞
以下、図面を参照して、本発明の実施の形態について説明する。
図１は、本発明の第１の実施形態における、電子機器の一例としての携帯端末装置の外形の概要を示す平面図である。同図に示すように、携帯端末装置１の筐体１１には、その略々全面に渡って、タッチパネル操作部１２が配設されている。
【００１４】
図２は、タッチパネル操作部１２の概略構成を示す分解斜視図である。同図に示すように、タッチパネル操作部１２は、表示パネル２１上に、タッチパネル２２を積層し、更に、その上に、保護スクリーン２３を積層して構成される。
【００１５】
表示パネル２１は、ＬＣＤ（Liquid Crystal Display、液晶ディスプレイ）ディスプレイまたは有機ＥＬ（Electro Luminescence）ディスプレイ等で構成され、アイコンやキー等の各種の情報を表示する。タッチパネル２２は、接触を受けると、その接触された部分の座標に対応する検出信号を出力する。タッチパネル２２としては、静電容量方式や抵抗膜方式等、各種のものが使用できる。また、タッチパネル２２は、１本の接触された指の部分の座標を検出するシングル操作と、２本以上の接触された指の部分の座標を検出するマルチ操作とに対応している。
【００１６】
このタッチパネル操作部１２では、表示パネル２１により、アイコンやボタン等の各種の情報が表示される。この表示に応じて、ユーザがタッチパネル操作部１２を指で触れると、この指の操作に対応する検出信号がタッチパネル２２から出力される。このようにして、タッチパネル操作部１２は、ユーザがタッチパネル操作部１２を指で触るタッチ操作による各種の入力を受け付ける。
【００１７】
タッチパネル操作部１２は、指が触れた表示パネル上の位置を検出するタッチ位置検出のみならず、ジェスチャー入力を検出することができる。ここでいう「ジェスチャー入力」は、指をタッチパネル操作部１２に触れ、更に指を所定の動き方で移動させるようにして、所定の入力を行うものである。
【００１８】
ジェスチャー入力の代表的なものに、「フリック」、「ズームイン」、「ズームアウト」、「ローテート」等がある。「フリック」は、指をタッチパネル操作部１２に触れ、直線上にスライドさせる操作である。「ズームアウト」は、２本の指をタッチパネル操作部１２に触れ、この２本の指を広げるように動かす操作である。「ズームイン」は、２本の指をタッチパネル操作部１２に触れ、この２本の指を近づけるように動かす操作である。「ローテート」は、２本指をタッチパネル操作部１２に触れ、一方の指を固定し他方の指を回転させる操作である。
【００１９】
更に、図２に示すように、タッチパネル操作部１２の周囲を囲む位置（すなわち、表示パネル２１やタッチパネル２２の周囲を囲む位置）に、発光体２４が設けられる。発光体２４は、例えば複数のＬＥＤ（Light Emitting Diode、発光ダイオード）などの複数の光源を配設して構成される。なお、発光体２４の構成は、複数の光源を配設するものに限らない。例えば、発光体２４が、タッチパネル操作部１２の周囲を囲む位置に設けられた有機ＥＬ、無機ＥＬ、またはＬＣＤ等の表示パネルで構成されるようにしても良い。また、これらを組み合わせて構成されるようにしても良い。
【００２０】
携帯端末装置１では、タッチパネル操作部１２にジェスチャー入力を行うと、発光体２４がジェスチャー入力の種類に応じた発光パターンで発光する。
ここで、図３は、発光体２４の発光パターンの例を示す説明図である。
同図（ａ）は、右フリック入力を行ったときの発光体２４の発光パターンの例を示している。同図（ａ）に示すように、右フリック入力を行うと、左側の中心から右側の中心に向けて、矢印Ａ１１及びＡ１２で示すように、２方向に光が流れるようなパターンで、発光体２４が発光する。
【００２１】
図３（ｂ）は、下フリック入力を行ったときの発光体２４の発光パターンの例を示している。同図（ｂ）に示すように、下フリック入力を行うと、上側の中心から下側の中心に向けて、矢印Ａ２１及びＡ２２で示すように、２方向に光が流れるようなパターンが生じるように、発光体２４が発光する。
【００２２】
図３（ｃ）は、ズームアウト入力を行ったときの発光体２４の発光パターンの例を示している。同図（ｃ）に示すように、ズームアウト入力を行うと、矢印Ａ３１及びＡ３２で示すように、左側の中心から上下のそれぞれの中心に２方向に光が流れるようなパターンが生じると共に、矢印Ａ３３及びＡ３４で示すように、右側の中心から上下のそれぞれの中心に２方向に光が流れるようなパターンが生じるように、発光体２４が発光する。
【００２３】
図３（ｄ）は、ズームイン入力を行ったときの発光体２４の発光パターンの例を示している。同図（ｄ）に示すように、ズームイン入力を行うと、矢印Ａ４１及びＡ４２で示すように、上側の中心から左右のそれぞれの中心に２方向に光が流れるようなパターンが生じると共に、矢印Ａ４３及びＡ４４で示すように、下側の中心から左右のそれぞれの中心に２方向に光が流れるようなパターンが生じるように、発光体２４が発光する。
【００２４】
図３（ｅ）は、ローテート入力を行ったときの発光体２４の発光パターンの例を示している。同図（ｅ）に示すように、ローテート入力を行うと、下側の中心から、ローテート方向に従って、光が流れるようなパターンで、発光体２４が発光する。
【００２５】
図４は、携帯端末装置１の概略構成を示すブロック図である。同図において、携帯端末装置１は、タッチパネル操作部１２と、発光体２４と、ホストＣＰＵ５１と、ＲＯＭ５２と、フラッシュメモリ５３と、ＲＡＭ５４と、無線通信部５６と、表示駆動部５７と、タッチパネル制御部５８と、発光体駆動部５９とを具備する。タッチパネル操作部１２は、表示パネル２１と、タッチパネル２２とを具備する。
【００２６】
ホストＣＰＵ(Central Processing Unit)５１は、携帯端末装置１の各部の制御を行う。ホストＣＰＵ５１は、本発明における発光体の複数の光源の点灯状態を制御する手段の一例であり、後述するように、タッチパネル操作部１２が受け付けるジェスチャーの種類に応じた発光パターンの発光制御信号を発光体駆動部５９に出力することで、発光体２４の発光パターンを制御する。
【００２７】
ＲＯＭ(Read Only Memory)５２は、ブートプログラムや、基本プログラムや、各種のアプリケーションプログラムなど、ホストＣＰＵ５１が読み出して実行する各種プログラムを、予め記憶している。フラッシュメモリ５３は、各種のプリセットデータや保存用のデータを記憶する。ＲＡＭ(Random Access Memory)５４は、データ処理用のメモリである。
【００２８】
無線通信部５６は、電波の送受信によるデータ通信を行う。無線通信部５６の通信方式としては、様々なものを用いることができる。例えば、無線通信部５６が、ＩＥＥＥ８０２．１１ｂ／ｇまたはＩＥＥＥ８０２．１１ｎなどの通信方式に従って通信を行うようにしてもよいし、あるいは、ＰＤＣ(Personal Digital Cellular)、ＧＳＭ(Global System for Mobile Communication)、ＣＤＭＡ(Code Division Multiple Access)またはＷＣＤＭＡ(Wideband CDMA)など、携帯電話における通信方式に従って通信を行うようにしてもよい。
【００２９】
表示駆動部５７は、ホストＣＰＵ５１からの指示を受けて、各種の情報を表示パネル２１に表示させる。タッチパネル制御部５８は、タッチパネル２２に接触したユーザの指の、タッチ位置（タッチパネル２２における座標）や動きを検出し、その情報をホストＣＰＵ５１に出力する。発光体駆動部５９は、ホストＣＰＵ５１からの指示を受けて、発光体２４に配置されている各ＬＥＤ６０ａ、６０ｂ、６０ｃ、…の発光順序や発光時間を制御して、ＬＥＤ６０ａ、６０ｂ、６０ｃ、…を所定の発光パターンで点灯させる。
【００３０】
次に、図５を参照して、携帯端末装置１の動作について説明する。
前述したように、ユーザが指でタッチパネル操作部１２に触れ、更に指を所定の動作で移動させてジェスチャー入力を行うと、携帯端末装置１は、このジェスチャー入力の種類に応じた発光パターンで発光体２４を発光させる。
【００３１】
図５は、携帯端末装置１が、ジェスチャー入力の種類に応じた発光パターンで発光体２４を発光させるための処理手順を示すフローチャートである。
同図において、ホストＣＰＵ５１は、タッチパネル制御部５８の出力に基づいて、ユーザの指がタッチパネル操作部１２に触れたかどうかを判定する（ステップＳ１）。ユーザの指がタッチパネル操作部１２に触れたと判定（検出）すると（ステップＳ１：ＹＥＳ）、指の触れた位置の座標及び指の動きを判定する（ステップＳ２）。そして、ホストＣＰＵ５１は、ユーザの指の動きから、ジェスチャーの種類を判定する（ステップＳ３）。
【００３２】
ジェスチャーの種類を判定すると、ホストＣＰＵ５１は、判定したジェスチャーの種類に応じた発光パターンの発光制御信号を、発光体駆動部５９に出力する（ステップＳ４）。発光体駆動部５９は、ホストＣＰＵ５１からの発光制御信号の出力を受けると、図３に示したように、ジェスチャーの種類に応じた発光パターンで、発光体２４の各ＬＥＤ６０ａ、６０ｂ、６０ｃ、…を点灯させる（ステップＳ５）。
【００３３】
以上説明したように、本発明の第１の実施形態における携帯端末装置１では、タッチパネル操作部１２の周囲を囲むように発光体２４が設けられており、ユーザが指でタッチパネル操作部１２に触れ、更に指を所定の動き方で移動させて、ジェスチャー入力を行うと、このジェスチャー入力の種類に応じた発光パターンで発光体２４が発光する。これにより、ユーザは、所望のジェスチャー入力が行えたかどうかを、視覚により直感的に確認することができる。また、本発明の第１の実施形態における携帯端末装置１では、ユーザのタッチパネル操作部１２へのジェスチャー入力に応じて、発光体２４をイルミネーション発光させることで、ユーザに対して、使い易さや楽しさを提供できる。
【００３４】
また、携帯端末装置１では、発光体２４が、タッチパネル操作部２１の周囲を囲む位置に設けられているので、より複雑なジェスチャー入力に対しても、発光体２４の発光パターンによって、受け付けたジェスチャー入力をユーザに視覚的に提示できる。
例えば、携帯端末装置１が、ジェスチャー入力として、指を前記タッチパネル操作部に触れ直線上にスライドさせる操作や、２本の指を前記タッチパネル操作部に触れこの２本の指を広げる若しくは近づけるように動かす操作や、２本の指をタッチパネル操作部に触れ一方の指を固定し他方の指を回転させる操作を受け付ける得る場合、図３で説明した発光パターンで、受け付けたジェスチャー入力をユーザに視覚的に提示できる。
【００３５】
なお、上述した第１の実施形態では、タッチパネル制御部５８で検出されたユーザの指の座標や動きの情報をホストＣＰＵ５１に出力し、ホストＣＰＵ５１からの指示を受けて、発光体駆動部５９がジェスチャーの種類に応じた発光パターンで発光体２４を点灯させているが、タッチパネル制御部５８で検出されたユーザの指の座標や動きの情報からジェスチャーの種類を判定し、このジェスチャーの種類の判定結果をホストＣＰＵ５１を介さずに直接発光体駆動部５９に出力し、発光体２４を所定の発光パターンで点灯させるように制御しても良い。
【００３６】
タッチパネル制御部５８で検出されたユーザの指の座標や動きの情報を直接発光体駆動部５９に出力するために、例えば、タッチパネル制御部５８が、自らの検出するユーザの指の座標や動きについて特定のパターンを検出する回路（すなわち特定のジェスチャーを検出する回路）を、検出すべきジェスチャーの種類分だけ具備する。そして、いずれかの回路がジェスチャーを検出すると、タッチパネル制御部５８は、当該回路に応じた発光パターンで発光体２４を点灯させる。
【００３７】
このように、ホストＣＰＵ５１を介さずに、タッチパネル制御部５８で検出されたユーザの指の座標や動きの情報を直接発光体駆動部５９に出力するようにすることで、消費電力の低減を図ることができ、また、レスポンス向上を期待できる。
【００３８】
＜第２の実施形態＞
図６は、本発明の第２の実施形態における携帯端末装置の概略構成を示すブロック図である。同図において、携帯端末装置（電子機器）２は、タッチパネル操作部１２と、発光体２４と、ホストＣＰＵ５１と、ＲＯＭ５２と、フラッシュメモリ５３と、ＲＡＭ５４と、無線通信部５６と、表示駆動部５７と、タッチパネル制御部５８と、発光体駆動部５９と、振動部６１と、振動駆動部６２とを具備する。タッチパネル操作部１２は、表示パネル２１と、タッチパネル２２とを具備する。
また、同図において、図４の各部に対応して同様の機能を有する部分には、同一の符号（１２、２１、２２、２４、５１、５２、５３、５４、５６、５７、５８、５９、６０ａ、６０ｂ、６０ｃ）を付して、その説明を省略する。
【００３９】
前述したように、第１の実施形態における携帯端末装置１では、ユーザがタッチパネル操作部１２に触れてジェスチャー入力を行うと、発光体２４がジェスチャーの種類に応じた発光パターンで点灯する。
一方、第２の実施形態における携帯端末装置２では、更に、振動部６１が設けられ、ユーザがタッチパネル操作部１２に触れると、ホストＣＰＵ５１が振動駆動部６２を制御して駆動させることで、振動部６１が振動する。これにより、ユーザは、タッチパネル操作部１２に触れると、その振動により、タッチパネル操作部１２を操作したことを感覚として把握することができる。このように、携帯端末装置２では、発光体２４のイルミネーションと、操作する指の振動とを組み合わせて、ユーザが、さらに直感的に操作を把握でき、また、ユーザに使い易さや楽しさを提供可能な携帯端末装置を実現することができる。
【００４０】
なお、振動部６１は、例えば、タッチパネル操作部１２の保護スクリーン２３に対して設けられる。あるいは、振動部６１は、携帯端末装置１の筐体１１に対して設けるようにしても良い。
【００４１】
また、上述した例では、発光体２４によるイルミネーションと、振動部６１による指の振動とを組み合わせているが、更に、発光体２４を、通話、メールの着信等、各種の情報通知や、ゲーム等の各種アプリケーションのイルミネーション発光と組み合わせても良い。
【００４２】
なお、以上の例では、タッチパネル操作部を有する携帯端末装置について説明したが、本発明は携帯端末装置に限らず、タブレット型のパーソナルコンピュータや各種の映像機器等、タッチパネル操作部を有する各種の電子機器に適用することができる。
【００４３】
なお、携帯端末装置１または２の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４４】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００４５】
１、２  携帯端末装置
１１  筐体
１２  タッチパネル操作部
２１  表示パネル
２２  タッチパネル
２３  保護スクリーン
２４  発光体
５１  ホストＣＰＵ
５２  ＲＯＭ
５３  フラッシュメモリ
５４  ＲＡＭ
５６  無線通信部
５７  表示駆動部
５８  タッチパネル制御部
５９  発光体駆動部
６１  振動部
６２  振動駆動部
【図１】
2012234387.tif 000003
【図２】
2012234387.tif 000004
【図３】
2012234387.tif 000005
【図４】
2012234387.tif 000006
【図５】
2012234387.tif 000007
【図６】
2012234387.tif 000008